(57)【要約】【課題】衛生的に蓄冷剤の洗浄を行うことができる蓄冷剤用洗浄機を提供する。【解決手段】蓄冷剤用洗浄機１は、本体２内に構成され、蓄冷剤を収容する洗浄室３を備え、該洗浄室３内の蓄冷剤の洗浄及びすすぎを行う洗浄運転と、本体２内に設けられる洗浄タンク４内に洗浄水を貯留し、当該洗浄水を洗浄水ヒータ２１にて殺菌可能な温度にまで加熱し、当該高温水を洗浄室３内に噴射することにより、洗浄室３内を殺菌する殺菌運転とを実行する。【選択図】      図１
2004243201.tif 000002
【特許請求の範囲】
【請求項１】
本体内に構成され、蓄冷剤を収容する洗浄室を備え、
該洗浄室内の前記蓄冷剤の洗浄及びすすぎを行う洗浄運転と、
前記本体内を殺菌可能な高温水にて殺菌する殺菌運転とを実行可能とされていることを特徴とする蓄冷剤用洗浄機。
【請求項２】
本体内に構成され、蓄冷剤を収容する洗浄室を備え、
該洗浄室内の前記蓄冷剤の洗浄及びすすぎを行う洗浄運転と、
前記洗浄に使用する洗浄水を殺菌可能な温度に加熱する殺菌運転とを実行可能とされていることを特徴とする蓄冷剤用洗浄機。
【請求項３】
前記本体内には、前記洗浄水を貯留する洗浄タンクを備え、
前記洗浄室内には、洗浄ノズルとすすぎノズルを回動自在に配設し、
前記洗浄運転において、前記洗浄ノズルのノズル口から前記洗浄タンク内の洗浄水を噴射して前記蓄冷剤を洗浄する洗浄工程を実行し、前記すすぎノズルのノズル口からすすぎ水を噴射して前記蓄冷剤をすすぐすすぎ工程を実行することを特徴とする請求項２の蓄冷剤用洗浄機。
【請求項４】
前記洗浄タンクは加熱手段を備え、
前記殺菌運転において、前記加熱手段により前記洗浄タンク内の前記洗浄水を殺菌可能な温度まで加熱すると共に、当該洗浄水を前記洗浄ノズルのノズル口から噴射して前記洗浄室内の殺菌洗浄を実行することを特徴とする請求項２又は請求項３の蓄冷剤用洗浄機。
【請求項５】
前記すすぎノズルのノズル口から噴射された前記すすぎ水は、前記洗浄タンクに回収されると共に、
該洗浄タンクは、当該洗浄タンク内の洗浄水をろ過する手段を備えることを特徴とする請求項２、請求項３又は請求項４の蓄冷剤用洗浄機。
【請求項６】
前記洗浄タンクは冷却手段を備え、
前記殺菌運転終了後、前記洗浄タンク内の前記洗浄水を、前記冷却手段により所定温度以下に冷却することを特徴とする請求項２、請求項３、請求項４又は請求項５の蓄冷剤用洗浄機。
【発明の詳細な説明】
【０００１】
【発明の属する技術分野】
本発明は、例えば冷却用貯蔵庫などにおいて用いられる蓄冷剤の洗浄とすすぎを行う蓄冷剤用洗浄機に関するものである。
【０００２】
【従来の技術】
例えば、移動可能な冷却用貯蔵庫などでは、庫内の低温保持手段として所定温度まで冷却された蓄冷剤を着脱自在に設けている。通常、冷却用貯蔵庫などは、食品などを収容するため、低温保持手段としての蓄冷剤も衛生に保つ必要がある。そこで、従来では、本体内に洗浄室が設けられる洗浄機により当該蓄冷剤の洗浄を行っていた。
【０００３】
通常、この蓄冷剤の洗浄に用いられる洗浄機は、従来の食器洗浄機などに採用されているように、洗浄室上下に設けられた回動自在の洗浄ノズルから洗浄水を噴射して洗浄室内に収容される被洗浄物の洗浄を行い、その後、同じく洗浄室上下に設けられた回動自在のすすぎノズルからすすぎ水を噴射して洗浄室内に収容される被洗浄物のすすぎを行うことにより、被洗浄物の洗浄を行っていた（特許文献１参照。）。このとき、洗浄水には、例えば有リン洗剤若しくは無リン洗剤などが添加され、洗浄効果の向上を図っていた。
【０００４】
【特許文献１】
特開２００１−２３８８４９号公報
【０００５】
【発明が解決しようとする課題】
しかしながら、従来の洗浄機では、通常、洗浄水やすすぎ水に所定温度以上、例えば＋６０℃の温水が用いられていたため、洗浄後における被洗浄物は、当該温水に影響され、加熱される。そのため、当該被洗浄物を常温にまで冷却するためには、格別の冷却手段にて冷却するか、空冷などにより所定時間以上放置する必要があった。本発明の洗浄対象となる被洗浄物は、蓄冷剤であるため、洗浄後直ぐに、別置きの冷却装置により所定温度以下にまで冷却する必要がある。そのため、洗浄時に必要以上に加熱が行われると、冷却時における冷却効率が低下し、エネルギーロスが生じる問題があった。
【０００６】
そこで、洗浄機における洗浄時において、洗浄水及びすすぎ水を常温の水を使用することが考えられる。しかし、この場合、洗浄水中に被洗浄物である蓄冷剤や外部から雑菌が混入しても、従来の温水を用いた洗浄による加熱殺菌が行われないため、常温の洗浄水中に雑菌が留まり、時間の経過と共に増殖していく問題がある。また、雑菌で汚染された洗浄水を介して洗浄機内部全体まで汚染が拡散される。そのため、洗浄機自体が非衛生的となり、当該洗浄機にて洗浄される蓄冷剤を、食品が収容される冷却用貯蔵庫に用いることは不適切となる問題があった。
【０００７】
そこで、本発明は従来の技術的課題を解決するために成されたものであり、衛生的に蓄冷剤の洗浄を行うことができる蓄冷剤用洗浄機を提供することを目的とする。
【０００８】
【課題を解決するための手段】
本発明の蓄冷剤用洗浄機は、本体内に構成され、蓄冷剤を収容する洗浄室を備え、該洗浄室内の蓄冷剤の洗浄及びすすぎを行う洗浄運転と、本体内を殺菌可能な高温水にて殺菌する殺菌運転とを実行可能とされていることを特徴とする。
【０００９】
本発明によれば、本体内に構成され、蓄冷剤を収容する洗浄室を備え、該洗浄室内の蓄冷剤の洗浄及びすすぎを行う洗浄運転と、本体内を殺菌可能な高温水にて殺菌する殺菌運転とを実行可能とされているので、格別に洗剤を用いることなく本体内を殺菌することができるようになる。
【００１０】
これにより、本体内に雑菌が繁殖し、悪臭が発生するなど不衛生となる不都合を未然に回避できるようになる。
【００１１】
請求項２の発明の蓄冷剤用洗浄機は、本体内に構成され、蓄冷剤を収容する洗浄室を備え、該洗浄室内の蓄冷剤の洗浄及びすすぎを行う洗浄運転と、洗浄に使用する洗浄水を殺菌可能な温度に加熱する殺菌運転とを実行可能とされていることを特徴とする。
【００１２】
請求項２の発明によれば、本体内に構成され、蓄冷剤を収容する洗浄室を備え、該洗浄室内の蓄冷剤の洗浄及びすすぎを行う洗浄運転と、洗浄に使用する洗浄水を殺菌可能な温度に加熱する殺菌運転とを実行可能とされているので、格別に洗剤を使用することなく、洗浄水中に雑菌が繁殖し、悪臭が発生するなど不衛生となる不都合を未然に回避できるようになる。
【００１３】
請求項３の発明の蓄冷剤用洗浄機は、上記発明において、本体内には、洗浄水を貯留する洗浄タンクを備え、洗浄室内には、洗浄ノズルとすすぎノズルを回動自在に配設し、洗浄運転において、洗浄ノズルのノズル口から洗浄タンク内の洗浄水を噴射して蓄冷剤を洗浄する洗浄工程を実行し、すすぎノズルのノズル口からすすぎ水を噴射して蓄冷剤をすすぐすすぎ工程を実行することを特徴とする。
【００１４】
請求項３の発明によれば、上記発明において、本体内には、洗浄水を貯留する洗浄タンクを備え、洗浄室内には、洗浄ノズルとすすぎノズルを回動自在に配設し、洗浄運転において、洗浄ノズルのノズル口から洗浄タンク内の洗浄水を噴射して蓄冷剤を洗浄する洗浄工程を実行し、すすぎノズルのノズル口からすすぎ水を噴射して蓄冷剤をすすぐすすぎ工程を実行することで、効果的に蓄冷剤の洗浄・すすぎを行うことができるようになる。
【００１５】
請求項４の発明の蓄冷剤用洗浄機は、請求項２又は請求項３の発明に加えて、洗浄タンクは加熱手段を備え、殺菌運転において、加熱手段により洗浄タンク内の洗浄水を殺菌可能な温度まで加熱すると共に、当該洗浄水を洗浄ノズルのノズル口から噴射して洗浄室内の殺菌洗浄を実行することを特徴とする。
【００１６】
請求項４の発明によれば、請求項２又は請求項３の発明に加えて、洗浄タンクは加熱手段を備え、殺菌運転において、加熱手段により洗浄タンク内の洗浄水を殺菌可能な温度まで加熱すると共に、当該洗浄水を洗浄ノズルのノズル口から噴射して洗浄室内の殺菌洗浄を実行するので、効果的に洗浄水の殺菌を行うことができるようになる。これにより、雑菌が混入した洗浄水により洗浄室内が汚染される不都合を未然に回避することができるようになり、衛生的に洗浄機を運転することができるようになる。
【００１７】
請求項５の発明の蓄冷剤用洗浄機は、請求項２、請求項３又は請求項４の発明に加えて、すすぎノズルのノズル口から噴射されたすすぎ水は、洗浄タンクに回収されると共に、該洗浄タンクは、当該洗浄タンク内の洗浄水をろ過する手段を備えることを特徴とする。
【００１８】
請求項５の発明によれば、請求項２、請求項３又は請求項４の発明に加えて、すすぎノズルのノズル口から噴射されたすすぎ水は、洗浄タンクに回収されると共に、該洗浄タンクは、当該洗浄タンク内の洗浄水をろ過する手段を備えるので、すすぎ水として使用された水を洗浄タンクに回収し、当該洗浄タンクにおいて、該水をろ過することにより、汚物や菌が除去された水を洗浄水として再び使用することができるようになる。これにより、節水を図ることができるようになる。
【００１９】
請求項６の発明の蓄冷剤用洗浄機は、請求項２、請求項３、請求項４又は請求項５の発明において、洗浄タンクは冷却手段を備え、殺菌運転終了後、洗浄タンク内の洗浄水を、冷却手段により所定温度以下に冷却することを特徴とする。
【００２０】
請求項６の発明によれば、請求項２、請求項３、請求項４又は請求項５の発明において、洗浄タンクは冷却手段を備え、殺菌運転終了後、洗浄タンク内の洗浄水を、冷却手段により所定温度以下に冷却するので、殺菌運転における洗浄室内の温度に影響されることなく、蓄冷剤を洗浄することが可能となり、余剰の熱を蓄冷剤に蓄積する不都合を回避することができる。これにより、洗浄後における該蓄冷剤を冷却する際のエネルギーロスを抑制することができるようになる。
【００２１】
【発明の実施の形態】
次に、図面に基づき本発明の実施形態を詳述する。図１は本発明の蓄冷剤用洗浄機１の縦断正面図、図２は同じく本発明の蓄冷剤用洗浄機１の縦断側面図を示している。本実施例の蓄冷剤用洗浄機１は、前面が開口するステンレス製の箱体により構成される本体２に画成され、被洗浄物である蓄冷剤を洗浄する洗浄室３と、この洗浄室３の下方に形成され、洗浄タンク４と、電装箱６等を備える機械室７とにより構成される。尚、２Ａは蓄冷剤用洗浄機１を支持する台脚であり、蓄冷剤用洗浄機１の高さを例えば８００ｍｍ乃至８５０ｍｍの範囲で高さ調整可能となっている。
【００２２】
また、この蓄冷剤用洗浄機１の前面上部には上部パネル８が設けられており、この上部パネル８には、蓄冷剤用洗浄機１の運転を制御するため、前記電装箱６に接続された図示しないコントロールパネルが設けられている。
【００２３】
更に、前記洗浄室３の前面であって、前記上部パネル８の下方には、開口を開閉自在に閉塞する洗浄室扉９が設けられている。そして、前記機械室７の前面にも機械室パネル１０が着脱可能に取り付けられている。
【００２４】
また、図１に示す如く前記洗浄室３の下部の左右両側には、蓄冷剤を載置した図示しないラックを載置するため、断面略Ｌ字状で対向する位置にラックレール１３が設けられている。更に、この洗浄室３の上下には、前記ラックレール１３を挟んで相対向する回転自在な上下洗浄ノズル１４Ａ、１４Ｂが設けられ、これら上下洗浄ノズル１４Ａ、１４Ｂには、それぞれ複数のノズル口３３、３４が設けられている。また、この上洗浄ノズル１４Ａの下側には、下洗浄ノズル１４Ｂと対向する位置に回転自在なすすぎノズル１５が設けられ、当該すすぎノズル１５にも複数のノズル口３５が設けられている。
【００２５】
更に、前記洗浄室３内の天部には、左右に傾斜するステンレス製の水案内板１６が設けられており、この水案内板１６により、洗浄後の蓄冷剤に水滴が滴下してしまうことを極力防止できる。
【００２６】
一方、前記洗浄タンク４は、上面が開口し、底板４Ａの凹凸を極力少なくした箱体にて形成され、薄型としている。即ち、洗浄タンク４の面積を前記洗浄室３とほぼ同じ面積とし、且つ、深さを全域においてほど同等とし、その全域に洗浄水を貯留するよう構成した。
【００２７】
また、この洗浄タンク４内には、洗浄ポンプ１８が位置しており、この洗浄ポンプ１８は洗浄水配管１１及び１２を介して前記上下洗浄ノズル１４Ａ、１４Ｂに洗浄水を供給するものである。そして、洗浄タンク４の底板４Ａを挟んで機械室７側には、洗浄ポンプ１８を回転駆動させるポンプモータ１８Ａが設けられている。
【００２８】
更に、この洗浄タンク４には、洗浄水の水位を一定に保つため、排水ドレン１９が設けられている。この排水ドレン１９は、前記底板４Ａに形成された排水口を有する排水部２０に取り付けられている。そして、この排水部２０には、底板４Ａの高さに位置して図示しない開閉電磁弁にて開閉制御される図示しない排水孔が形成され、該排水孔は、前記排水口に連通している。尚、この排水部２０の排水口は、前記底板４Ａに形成されているため、前記洗浄ポンプ１８の吸込口より下方に位置することになる。そして、この排水部２０の下部には、前記排水口の下方であって、図示しない三方弁の下流側にろ過手段として例えば中空糸フィルタ２５が設けられる。
【００２９】
このフィルタ２５の下流側には、循環用配管２６を介して循環ポンプ２７が設けられ、この循環ポンプ２７の下流側には、循環用配管２８を介して洗浄タンク４の底板４Ａに接続される。また、排水部２０の下部には、前記三方弁の他方の下流側に、外部に連通する図示しない配管が接続されているものとする。更に、洗浄タンク４内には、洗浄水を加熱するための洗浄水ヒータ２１が設けられている。
【００３０】
他方、機械室７内の洗浄タンク４の下方には、別置きの図示しないすすぎ水タンクから供給される水を給水ソケット２３を介して本体２内に取り込むすすぎ水配管２４が設けられている。このすすぎ水配管２４には、給水電磁弁３０及び逆止弁３１を介してすすぎ水配管３２が接続され、このすすぎ水配管３２は、前記すすぎノズル１５に接続されている。
【００３１】
尚、本実施例では、すすぎ水タンクに貯留された水を本体２内に取り込んでいるが、外部水道系を直接すすぎ水配管２４に接続し、本体２内に水を取り込んでもよいものとする。
【００３２】
次に、本実施例の蓄冷剤用洗浄機１の動作について説明する。先ず初めに、洗浄室３内の蓄冷剤の洗浄及びすすぎを行う洗浄運転について説明する。洗浄運転では、先ず始めに、洗浄工程を実行する。即ち、洗浄工程では、給水電磁弁３０を開放し、前記すすぎ水タンクから、給水ソケット２３、すすぎ水配管２４、給水電磁弁３０、逆止弁３１及びすすぎ水配管３２を介してすすぎノズル１５にすすぎ水が供給され、該すすぎノズル１５のノズル口３５からすすぎ水が洗浄室３内に噴射され、当該噴射された水は、洗浄室３下方に設けられた洗浄タンク４に貯留される。
【００３３】
そして、洗浄タンク４が満水位となった時点で、前記給水電磁弁３０が閉鎖され、すすぎノズル１５のノズル口３５からの噴射が停止される。図示しない洗剤供給装置にて、洗浄タンク４内に洗剤、例えば無リン系洗剤を投入し、洗浄水とする。
【００３４】
この状態で、被洗浄物である蓄熱剤の洗浄が可能な状態となるため、前記洗浄室扉９を開放し、蓄冷剤を載置した図示しないラックを収納する。
【００３５】
次いで、前記コントロールパネルの図示しない洗浄スイッチを操作することで、前記ポンプモータ１８Ａが洗浄ポンプ１８を回転駆動させる。これにより、洗浄タンク４内の洗浄水は、洗浄ポンプ１８により、洗浄水配管１１及び１２に送出され、前記上下洗浄ノズル１４Ａ、１４Ｂに供給される。
【００３６】
そして、この上下洗浄ノズル１４Ａ、１４Ｂが回転しながら洗浄水を噴射し、ラックに載置された蓄冷剤を洗浄することとなる。噴射された洗浄水は、この後、洗浄タンク４に回収され、所定水位を超えた洗浄水は、洗浄タンク４に設けられた排水ドレン１９の上部から排水部２０に導かれる。
【００３７】
ここで、前記三方弁がフィルタ２５側に開放しているため、排水部２０内に浸入した洗浄水は、フィルタ２５において蓄冷剤から落ちた汚物や、菌が収集された後、循環用配管２６、循環ポンプ２７及び循環用配管２８を介して再び洗浄タンク４に帰還する。これにより、汚物や菌が除去された水を洗浄水として再び使用することができるようになる。
【００３８】
上述した如き洗浄工程を所定時間継続した後、すすぎ工程に移行する。すすぎ工程では、前記ポンプモータ１８Ａを停止し、すすぎ水タンクから、給水ソケット２３、すすぎ水配管２４、給水電磁弁３０、逆止弁３１及びすすぎ水配管３２を介してすすぎノズル１５にすすぎ水を供給する。
【００３９】
そして、すすぎノズル１５のノズル口３５から噴射されたすすぎ水は、蓄冷剤及び洗浄室３壁面に付着した洗浄水を洗い流し、前記洗浄タンク４内に貯留される。ここで、すすぎ水が洗浄タンク４内に入ることで、洗浄タンク４内の洗浄水は、排水ドレン１９の上部から排水部２０に導かれる。このとき、前記三方弁は、外部に連通する配管側に開放されていることから、三方弁を介して外部に排水される。
【００４０】
上記すすぎ工程を所定時間継続した後、洗浄運転を終了する。そして、前記洗浄室扉９を開放して蓄冷剤を載置したラックを引き出し、蓄冷剤の洗浄を終了する。ここで、上述の如く洗浄された蓄冷剤は、格別に加熱された温水を用いることなく常温の水にて洗浄されるため、余分な熱が蓄えられていない状態で別置きの冷却装置にて冷却することができるようになる。そのため、冷却装置において効率的に蓄冷剤の冷却を行うことができ、エネルギーロスを抑制することができるようになる。
【００４１】
そして、上述した如き洗浄運転を複数回繰り返した後、殺菌運転を行う。この殺菌運転は、本実施例では、前記コントロールパネルの図示しない殺菌スイッチを操作することで、開始する。先ず、排水部２０に形成される図示しない開閉電磁弁を開放し、前記三方弁を外部に連通する配管側に開放し、排水孔及び排水口を介して洗浄タンク４内の洗浄水を排水する。
【００４２】
次に、前記開閉電磁弁を閉鎖し、給水電磁弁３０を開放して、すすぎ水タンクから、給水ソケット２３、すすぎ水配管２４、給水電磁弁３０、逆止弁３１及びすすぎ水配管３２を介してすすぎノズル１５にすすぎ水を供給する。該すすぎノズル１５のノズル口３５からすすぎ水が洗浄室３内に噴射され、当該噴射された水は、洗浄室３下方に設けられた洗浄タンク４に貯留される。
【００４３】
そして、洗浄タンク４が満水位となった時点で、前記給水電磁弁３０が閉鎖され、すすぎノズル１５のノズル口３５からの噴射が停止される。ここで、洗浄水ヒータ２１に通電し、洗浄タンク４内の洗浄水を殺菌可能な温度、例えば、＋７０℃以上に加熱する。
【００４４】
これにより、洗浄タンク４内及び該洗浄タンク４内の洗浄水は加熱殺菌され、洗浄タンク４における雑菌の繁殖及び悪臭の発生を抑制することができる。
【００４５】
洗浄タンク４内の洗浄水の温度が前記所定温度以上と成った時点で、前記ポンプモータ１８Ａが洗浄ポンプ１８を回転駆動させる。これにより、洗浄タンク４内の高温水（洗浄水）は、洗浄ポンプ１８により、洗浄水配管１１及び１２に送出され、前記上下洗浄ノズル１４Ａ、１４Ｂに供給される。
【００４６】
そして、この上下洗浄ノズル１４Ａ、１４Ｂが回転しながら高温水を噴射し、洗浄室３内を殺菌洗浄することとなる。噴射された高温水は、この後、洗浄タンク４に回収され、再び洗浄タンク４内において、洗浄水ヒータ２１により加熱された後、再び上述の如く洗浄室３内に噴射される。
【００４７】
上述した如き殺菌運転を所定時間継続した後、前記ポンプモータ１８Ａ及び洗浄水ヒータ２１の通電を停止する。その後、排水部２０に形成される前記開閉電磁弁を開放し、前記三方弁を外部に連通する配管側に開放し、排水孔及び排水口を介して洗浄タンク４内の高温水を排水し、殺菌運転を停止する。
【００４８】
これにより、効果的に洗浄室３内の殺菌洗浄を行うことができるようになり、洗浄室３内に雑菌が繁殖し、悪臭が発生するなど不衛生となる不都合を未然に回避することができるようになる。そのため、衛生的に洗浄機１を運転することができるようになる。
【００４９】
また、本発明では、殺菌運転時に格別な洗剤を用いないため、当該洗剤による環境汚染を回避することができるようになる。
【００５０】
そして、殺菌運転終了後は、冷却手段として例えば、すすぎ水をすすぎノズル１５のノズル口３５から噴射することにより、洗浄室３内の冷却を行うことが好ましい。これにより、殺菌運転終了後の洗浄運転において、被洗浄物である蓄冷剤が必要以上に加熱されることを回避することができるようになり、洗浄後の蓄冷剤の冷却時におけるエネルギーロスを抑制することができるようになる。
【００５１】
尚、本実施例では、任意に殺菌運転を実行しているが、係る殺菌運転は、一日の作業の最後に行うことが最も好ましい。これにより、洗浄タンク４内に雑菌を含む洗浄水が長時間放置されることにより、菌が繁殖することを抑制することができるようになる。また、これに加えて、殺菌運転を一日の作業の最初に行ってもよい。かかる場合には、長時間放置された洗浄水を加熱殺菌することができ、より一層衛生的に該洗浄機１を使用することができるようになる。
【００５２】
また、上記に加えて、制御手段などにより、洗浄運転を複数回、例えば１０回実行した後、自動で殺菌運転を実行してもよいものとする。これにより、定期的に洗浄室３内を殺菌洗浄することが可能となり、当該洗浄機１にて洗浄される蓄冷剤に菌が付着したまま洗浄が終了することを回避することができるようになる。
【００５３】
更に、本実施例では、殺菌運転終了後の洗浄室３内の冷却には、常温のすすぎ水の噴射により行っているが、これに加えて、前記すすぎ水を洗浄タンク４内に貯溜した後、当該洗浄タンク４に、格別に設けられた冷却手段、例えば冷却器などにより前記すすぎ水を冷却し、洗浄室３内に噴射して該洗浄室３を所定温度以下に冷却してもよいものとする。
【００５４】
これにより、殺菌運転における洗浄室３内の温度に影響されることなく、蓄冷剤を洗浄することが可能となり、余剰の熱を蓄冷剤に蓄積する不都合を回避することができる。これにより、洗浄後における該蓄冷剤を冷却する際のエネルギーロスを抑制することができるようになる。
【００５５】
また、殺菌運転終了後における洗浄室３内の冷却手段としては、上記以外にも、例えば、洗浄タンク４内の洗浄水を外部に引き出し、再び洗浄タンク４に戻す配管を設けてもよいものとする。かかる場合には、外部に引き出された配管を空冷若しくは、別置きの冷却装置などにより冷却することが可能となり、冷却された洗浄水を洗浄室３内に噴出することによっても、洗浄室３の冷却を行うことができるようになる。
【００５６】
【発明の効果】
以上詳述した如く本発明によれば、本体内に構成され、蓄冷剤を収容する洗浄室を備え、該洗浄室内の蓄冷剤の洗浄及びすすぎを行う洗浄運転と、本体内を殺菌可能な高温水にて殺菌する殺菌運転とを実行可能とされているので、格別に洗剤を用いることなく本体内を殺菌することができるようになる。
【００５７】
これにより、本体内に雑菌が繁殖し、悪臭が発生するなど不衛生となる不都合を未然に回避できるようになる。
【００５８】
請求項２の発明によれば、本体内に構成され、蓄冷剤を収容する洗浄室を備え、該洗浄室内の蓄冷剤の洗浄及びすすぎを行う洗浄運転と、洗浄に使用する洗浄水を殺菌可能な温度に加熱する殺菌運転とを実行可能とされているので、格別に洗剤を使用することなく、洗浄水中に雑菌が繁殖し、悪臭が発生するなど不衛生となる不都合を未然に回避できるようになる。
【００５９】
請求項３の発明によれば、上記発明において、本体内には、洗浄水を貯留する洗浄タンクを備え、洗浄室内には、洗浄ノズルとすすぎノズルを回動自在に配設し、洗浄運転において、洗浄ノズルのノズル口から洗浄タンク内の洗浄水を噴射して蓄冷剤を洗浄する洗浄工程を実行し、すすぎノズルのノズル口からすすぎ水を噴射して蓄冷剤をすすぐすすぎ工程を実行することで、効果的に蓄冷剤の洗浄・すすぎを行うことができるようになる。
【００６０】
請求項４の発明によれば、請求項２又は請求項３の発明に加えて、洗浄タンクは加熱手段を備え、殺菌運転において、加熱手段により洗浄タンク内の洗浄水を殺菌可能な温度まで加熱すると共に、当該洗浄水を洗浄ノズルのノズル口から噴射して洗浄室内の殺菌洗浄を実行するので、効果的に洗浄水の殺菌を行うことができるようになる。これにより、雑菌が混入した洗浄水により洗浄室内が汚染される不都合を未然に回避することができるようになり、衛生的に洗浄機を運転することができるようになる。
【００６１】
請求項５の発明によれば、請求項２、請求項３又は請求項４の発明に加えて、すすぎノズルのノズル口から噴射されたすすぎ水は、洗浄タンクに回収されると共に、該洗浄タンクは、当該洗浄タンク内の洗浄水をろ過する手段を備えるので、すすぎ水として使用された水を洗浄タンクに回収し、当該洗浄タンクにおいて、該水をろ過することにより、汚物や菌が除去された水を洗浄水として再び使用することができるようになる。これにより、節水を図ることができるようになる。
【００６２】
請求項６の発明によれば、請求項２、請求項３、請求項４又は請求項５の発明において、洗浄タンクは冷却手段を備え、殺菌運転終了後、洗浄タンク内の洗浄水を、冷却手段により所定温度以下に冷却するので、殺菌運転における洗浄室内の温度に影響されることなく、蓄冷剤を洗浄することが可能となり、余剰の熱を蓄冷剤に蓄積する不都合を回避することができる。これにより、洗浄後における該蓄冷剤を冷却する際のエネルギーロスを抑制することができるようになる。
【図面の簡単な説明】
【図１】本発明の蓄冷剤用洗浄機の縦断正面図である。
【図２】蓄冷剤用洗浄機の縦断側面図である。
【符号の説明】
１  蓄冷剤用洗浄機
２  本体
３  洗浄室
４  洗浄タンク
１４Ａ、１４Ｂ  洗浄ノズル
１５  すすぎノズル
１８  洗浄ポンプ
１８Ａ  ポンプモータ
１９  排水ドレン
２０  排水部
２１  洗浄水ヒータ
２５  フィルタ
２７  循環ポンプ
３３、３４、３５  ノズル口
【図１】
2004243201.tif 000003
【図２】
2004243201.tif 000004